(57)【要約】【課題】本発明は給湯シャワー等に使用される湯水供給装置に関するもので、湯水供給装置の能力が大きくして、充分な湯水吐水量が得られるようにするとともに、他の場所での取水ができるようにして、使い勝手をよくすることを目的としたものである。【解決手段】複数個のヒータ部を備え、前記ヒータ部は、それぞれ複数個までヒータが装着可能な構成とし、シャワールームなど先端で水と湯を混合することができるようにしたものであり、混合弁などで先端吐水部からの出湯開閉操作が簡単で、かつ任意に水と湯を混合させる選択でき、豊富な吐水湯量の出湯が可能で、充分な洗浄効果が得られると同時に、出湯圧が上昇しているので快適なシャワー感覚を楽しむことができるというものである。【選択図】　図１
2004011977.tif 000002
【特許請求の範囲】
【請求項１】
入水部と、前記入水部から分岐された水供給管と、互いに密閉を保ち直列に接続されヒータを内蔵して前記入水部より入った水を温めるタンクとからなる複数のタンクユニットと、前記ヒータにより暖める水の温度を設定する容量設定手段と、所定の流量を検知して前記ヒータへの通電を制御する流量検知弁と、複数の吐出端末を備え、前記複数の吐出端末毎に前記水供給管で供給される水、前記タンクユニットで温められた湯、または水と湯の混合湯を切り替えて吐出する操作部を備え、前記操作部で湯または混合水を吐出する操作と流量検知弁とを連動する構成とした湯水供給装置。
【請求項２】
入水部と、前記入水部から分岐された水供給管と、互いに密閉を保ち直列に接続されヒータを内蔵して前記入水部より入った水を温めるタンクとからなる複数のタンクユニットと、前記ヒータにより暖める水の温度を設定する容量設定手段と、所定の流量を検知して前記ヒータへの通電を制御する流量検知弁と、複数の吐出端末を備え、前記複数の吐出端末毎に、前記水供給管で供給される水の吐出操作部と前記タンクユニットで温められた湯の吐出操作部を備え、前記湯の操作部での吐出操作と流量検知弁とを連動する構成とした湯水供給装置。
【請求項３】
タンクは小容積の管体とし、前記タンクに複数のヒータを直列に設けることができる構成とした請求項１または２記載の湯水供給装置。
【請求項４】
ヒータ毎に漏電遮断機能付電源装置を設け、動作確認テストを１動作で行い、リセット動作は各漏電遮断機能付電源装置ごとに独立に行う構成とした請求項１から３のいずれか１項記載の湯水供給装置。
【請求項５】
タンクユニットで加熱された水の温度を検知して、出湯温度を制御する温度制御装置を設けた請求項１から４のいずれか１項記載の湯水供給装置。
【発明の詳細な説明】
【０００１】
【発明の属する技術分野】
本発明はに関するものである。
【０００２】
【従来の技術】
従来の湯水供給装置の一例として電気瞬間湯沸器について、図５、図６、図７を用いて説明する。図５は従来の電気瞬間湯沸器の外観図、図６は電気瞬間湯沸器の内部構造図で、図７はフローシステム図である。図５において、１は入水管、２は流量調節弁、３は止水開閉スイッチ、４は容量切替つまみ、５は通電表示部、６は漏電遮断機能のテストつまみ、７はシャワーホース、８はシャワーヘッドを示し、入水管１から本体内に通水されシャワーヘッド８から出湯する構成としてある。
【０００３】
また、図６、図７において、９は流量制御スイッチ、１０は止水開閉弁、１１はタンク入水管、１２はタンクユニット、１３はヒータ、１４は過熱保護装置、１５はタンク出湯管、１６は容量切替スイッチ、１７は制御回路、１８は運転ランプを示す。
【０００４】
使用者がシャワー入浴をしようと止水開閉スイッチ３を押しオンすると通水が開始され入水管１から止水開閉弁１０、タンク入水管１１、タンクユニット１２、タンク出湯管１５からシャワーヘッド８（第５図に示す）へと吐出される。次に、過熱保護装置１４が作動していなければ、容量切替スイッチ１６をオンにすると、運転ランプ１８が点灯し、流量制御スイッチ９が自動的にＯＮし、ヒータ１３に通電が開始され出湯される。ヒータ１３への通電能力は、使用者の好みで容量切替つまみ４により調節された容量に応じて出湯温度が吐出する。
【０００５】
シャワー入浴が終了したときは、止水開閉スイッチ３を押しオフすると、該流量制御スイッチ９が吐水状態を検知し、運転ランプ１８が消灯すると同時に、ヒータ１４への通電が遮断される。また、何らかの不具合が発生し、過熱保護装置１４が作動したときも、ヒータ１３への通電は遮断され、運転ランプ１８が消灯し、使用者へ異常が発生したことを報知する。そして、容量切替スイッチ１６をオフにすると、ヒータ１３への通電が行われないので、水シャワーとしても使用できる構成となっている。つまり、一般的な電気瞬間湯沸器においては、湯または水のみ出湯するというものであった。
【０００６】
【発明が解決しようとする課題】
しかしながら、上記従来のシャワーの構成では、入水管から供給される水量が少ない場合は、充分な洗浄効果が得られず、長時間シャワーを浴びる必要がある。さらに、シャワーヘッドからの噴出圧力も低いため、快適なシャワー感覚を楽しむことができるという点でも劣るものであった。
【０００７】
また、シャワー専用で、湯水を使いたいキッチンや洗面所など、他の複数の場所での取水ができず、有効に活用することができないものであった。
【０００８】
本発明は上記課題を解決するもので、湯水供給装置の能力が大きく、充分な湯水吐水量が得られるとともに、他の場所での取水ができるようにして使い勝手をよくし、快適なシャワー感覚を楽しむことができる温水供給装置を提供することを目的としている。
【０００９】
【課題を解決するための手段】
前記従来の課題を解決するために、本発明の湯水供給装置は、入水部と、前記入水部から分岐された水供給管と、互いに密閉を保ち直列に接続されヒータを内蔵して前記入水部より入った水を温めるタンクとからなる複数のタンクユニットと、前記ヒータにより暖める水の温度を設定する容量設定手段と、所定の流量を検知して前記ヒータへの通電を制御する流量検知弁と、複数の吐出端末を備え、前記複数の吐出端末毎に前記水供給管で供給される水、前記タンクユニットで温められた湯、または水と湯の混合湯を切り替えて吐出する操作部を備え、前記操作部で湯または混合水を吐出する操作と流量検知弁とを連動する構成とした。
【００１０】
これによって、複数のタンクユニットを直列に設け、必要に応じてヒータを複数接続したタンクユニット内にて順次熱交換を行い、効率よく水を暖め、そのお湯を複数の吐出端末において吐出する。操作部で、水、または、お湯、または混合の選択に応じて吐出する。
【００１１】
【発明の実施の形態】
請求項１に記載の発明は、入水部と、前記入水部から分岐された水供給管と、互いに密閉を保ち直列に接続されヒータを内蔵して前記入水部より入った水を温めるタンクとからなる複数のタンクユニットと、前記ヒータにより暖める水の温度を設定する容量設定手段と、所定の流量を検知して前記ヒータへの通電を制御する流量検知弁と、複数の吐出端末を備え、前記複数の吐出端末毎に前記水供給管で供給される水、前記タンクユニットで温められた湯、または水と湯の混合湯を切り替えて吐出する操作部を備え、前記操作部で湯または混合水を吐出する操作と流量検知弁とを連動する構成とした。
【００１２】
よって、複数のタンクユニットを直列に設け、必要に応じてヒータを複数接続したタンクユニット内にて順次熱交換を行い、効率よく水を暖め、そのお湯を複数の吐出端末において吐出する。例えば、混合弁などを各端末に設け、１つの操作部で水、または、お湯、または混合の選択に応じて吐出する。
【００１３】
そして、１台の湯水供給装置において、早く、多量の湯を供給することができ、複数の場所で水、またはお湯、または湯水混合を必要に応じて供給することができる。
【００１４】
請求項２に記載の発明は、入水部と、前記入水部から分岐された水供給管と、互いに密閉を保ち直列に接続されヒータを内蔵して前記入水部より入った水を温めるタンクとからなる複数のタンクユニットと、前記ヒータにより暖める水の温度を設定する容量設定手段と、所定の流量を検知して前記ヒータへの通電を制御する流量検知弁と、複数の吐出端末を備え、前記複数の吐出端末毎に、前記水供給管で供給される水の吐出操作部と前記タンクユニットで温められた湯の吐出操作部を備え、前記湯の操作部での吐出操作と流量検知弁とを連動する構成とした。
【００１５】
よって、複数のタンクユニットを直列に設け、必要に応じてヒータを複数接続したタンクユニット内にて順次熱交換を行い、効率よく水を暖め、そのお湯を複数の吐出端末において吐出する。水と湯のそれぞれに対応した操作部があるので、それぞれの操作により混合を調整して吐出する。
【００１６】
そして、１台の湯水供給装置において、早く、多量の湯を供給することができ、複数の場所で水、またはお湯、または湯水混合を必要に応じて供給することができる。また、水、湯それぞれに対応しての吐出操作なので、吐出時の圧力損失が少なく、流量が比較的多く得られる。
【００１７】
請求項３に記載の発明はタンクは小容積の管体とし、前記タンクに複数のヒータを直列に設けることができる構成とした。
【００１８】
よって、小容積管体のタンクでヒータを複数備えることができるので、効率よく多量の水を瞬間的に熱交換して多量の湯水を供給する。
【００１９】
そして瞬間的に多量の湯水が使用できる。
することができる。
【００２０】
請求項４に記載の発明はヒータ毎に漏電遮断機能付電源装置を設け、動作確認テストを１動作で行い、リセット動作は各漏電遮断機能付電源装置ごとに独立に行う構成とした。
【００２１】
よって、漏電遮断機能付き電源装置の動作テスト時は１動作で行い、リセットは各ヒータに対応して、独立して行う。
【００２２】
そして、複数のヒータを取付けた際にも、動作テストは１動作で行えるので、便利である。また、異常時の漏電遮断機能も各ヒータ毎となり、対応が逐一行えるので、確実で安全である。
【００２３】
請求項５に記載の発明はタンクユニットで加熱された水の温度を検知して、出湯温度を制御する温度制御装置を設けた。
【００２４】
よって、温度制御装置は、容量設定部により設定された設定温度を逸脱すると、ヒータの通電を制御して、タンクユニットでの熱交換による湯温の制御を行う。
【００２５】
そして適切な温度制御により、高温出湯を防止できる。
【００２６】
【実施例】
以下本発明の実施例について、図面を参照しながら説明する。
【００２７】
（実施例１）
以下、本発明の実施例について図面を用いて説明する。
【００２８】
（実施例）
図１は本発明の一実施例である電気瞬間湯沸器の外観を示したもので、３０は入水管、３１は圧力逃がし弁、３２は容量切替つまみ、３３は通電表示部、３４は漏電遮断機能のテストつまみ、３５は出湯管を示す。水は入水管３０から本体内に通水され出湯管３５から出湯する構成としてある。
【００２９】
図２は電気湯沸器の内部構造図で、図３、図４はフローシステム図を示す。この図２、図３、図４を参照しながら詳細な説明をする。３６は入水口、３７は流量検知弁、３８は流量検知スイッチ、３９はタンク入水管、４０は第１タンクユニット、４１は第２タンクユニット、４２はタンク接続管、４３はタンク出湯管、４４は容量切替スイッチ、４５は運転ランプ、４６は過熱保護装置、４７はヒータ、４８はサーモスイッチよりなる温度制御装置、４９は出湯口、５０は第１漏電遮断機能付電源装置、５１は第２漏電遮断機能付電源装置、５２は第１リセット板、５３は第２リセット板、５４は混合弁（図３に示す）から構成している。この電気瞬間湯沸器はヒータ４７を小容量缶体のタンクユニット４０、４１に内蔵し、この缶体を流れる湯水を瞬間的に熱交換することで連続的に出湯を可能とした高容量熱交換器を筐体内に収納して構成している。また、漏電遮断機能のテストつまみ３４を操作することで、各漏電遮断機能付電源装置のテストスイッチを同時に作動させる連動板３４ａを可動させ、テストを行える構成としてある。連動板３４ａにはテストスイッチのつまみに係止するような穴がそれぞれに対応して設けてあり、連動板３４ａはテスト作動時には連動するが、各装置のリセット動作時には連動しない構成となっている。
【００３０】
上記構成において、混合弁５４は、止水湯水混合機能を兼ねており、まず、使用者がシャワー入浴をしようと混合弁５４を開き通水状態にすると、流量検知弁３７が通水を検知し、流量検知スイッチ３８を自動的にオンさせる。入水口３６から流量検知弁３７、第１タンクユニット４０、第２タンクユニット４１を経由して出湯口４９より吐水を行う。このとき、過熱保護装置４６が作動していなければ、第１漏電遮断機能付電源装置５０と第２漏電遮断機能付電源装置５１から給電が開始される。そして、容量切替スイッチ４４をオンにすると、ランプ制御部の運転ランプ４５が点灯し、ヒータ４７への通電が開始され、使用者に運転ランプ４５で報知する。この、ヒータ４７への通電量は、使用者の好みで調節された容量切替スイッチ４４に従って通電容量が可変することができる。
【００３１】
シャワー入浴が終了したときは、混合弁５４をオフにすると、該止水機能が働き、吐水が停止し、流量検知弁３７が止水状態を検知し、流量検知スイッチ３８がオフすると運転ランプ４５が消灯すると同時に、ヒータ４７への通電が遮断される。また、使用中に何らかの不具合が発生し、過熱保護装置４６が作動したときも、ヒータ４７への通電は遮断され、運転ランプ４５が消灯し、使用者へ異常が発生したことを報知する。
【００３２】
また、以上の操作、及び構成により、容量切替スイッチをオフにしても水によるシャワーを使用することができるとともに、混合弁５４のレバーを水側に切替ることで水シャワーとしても使用できる構成となっている。
【００３３】
また、ヒータ４７で温められた湯温の温度を温度制御装置４８が検知し、所定以上の温度になると自動的に第１のタンクユニット４０または第２のタンクユニットのヒータ４７への通電を停止し、温度上昇を防止するようになっている。これにより、使用者の好みで調節された温度に対して、シャワー水量の変動等が発生した場合でも、安定した出湯温度を保つことができ、快適なシャワー感覚を楽しむことができるものである。
【００３４】
なお、本実施例ではサーモスイッチを用いた温度制御装置４８としたが、温度センサを取付けて湯温を検知し、ヒータ４７で温められた湯温の温度差に応じてフィードバック制御部にて、温度設定部の設定温度との差が無くなるように通電量制御部にフィードバック制御を行うような構成としてもよい。これにより、使用者の好みで調節された温度に対して、ヒータ４７への通電を無段階制御で行うようになり、シャワー水量の変動等が発生した場合でも、安定した出湯温度を保つことができ、快適なシャワー感覚を楽しむことができるものである。このとき、複数のタンクユニットが備えられた場合であれば、本実施例と同様に最終吐出湯の温度を検知する構成のほか、タンクユニットの途中の部位での吐出湯温度を検知して、あとのタンクユニットでの加熱を予測した制御を行うことで、最終吐出湯よりも低温状態の湯温を検知してより、温度センサの寿命を永くしたり、高温に対する耐性のない温度センサを用いることもできる。
【００３５】
また、湯水が吐水していないことを検知する流量検知弁３７が設けられており、使用中に何らかの不具合が発生し、混合弁５４が止水状態で該止水機能が働いていないのに、湯水の吐水が停止してしまうと、流量検知スイッチ３８がオフし、ヒータ４７への通電を遮断するように動作をする。そして、通電表示部３３の運転ランプ４５が消灯され、使用者へ異常が発生したことを報知する。このことにより、より安全にシャワー入浴を楽しむことができるようになる。
【００３６】
また、漏電遮断機能付電源装置が正常に動作するかどうか、第１漏電遮断機能付電源装置５０と第２漏電遮断機能付電源装置５１のテスト動作確認は、テスト板３４ａを設けたので、テストつまみ３４を操作するだけで同時に行うことができ、動作確認後のリセット板５２、５３によるリセット動作は各漏電遮断機能付電源装置毎に行えるので、装置の正常動作の確認が個々に行えるし、故障判断時には、ヒータ毎に正確に対応することが可能になる。
【００３７】
また、図４に同装置の複数端末へのフローシステム図を示している様に、バスユニット５５、洗面所５６、流し台５７、シャワー５８などの複数の端末を設け、各端末に水給水管３０ａを配管し、湯水供給装置からの湯の吐出と、水の供給を行える構成とする。本実施例では、各端末には混合弁５４を設けた操作部があるので、この操作部で水、または湯、または混合湯の選択ができる。
【００３８】
なお、端末によっては、水の操作部と湯の操作部を別に設け、それぞれの操作によって吐水形態を選ぶ構成としてもよく、この場合であれば、端末においての圧力損失が少なく比較的流量を多く得られる。
【００３９】
これによって、一台で複数の給湯口を設けることができ、投資が少なく、快適な給湯ライフが得られる。よって複数の給湯口からの吐水がお湯、水あるいは混合湯水の選択が可能となる。
【００４０】
【発明の効果】
以上のように、本発明によれば、湯水供給装置の能力が大きく、充分な湯水吐水量が得られるとともに、他の複数の場所での取水も可能となり使い勝手をよくして、快適なシャワー感覚を楽しむことができる。
【図面の簡単な説明】
【図１】本発明の実施例における湯水供給装置の外観図
【図２】同装置の内部構造図
【図３】同装置のフローシステム図
【図４】同装置の複数端末へのフローシステム図
【図５】従来の湯水供給装置の外観図
【図６】同装置の内部構造図
【図７】同装置のフローシステム図
【符号の説明】
３０　入水管（入水部）
３０ａ　水供給管
３４　漏電遮断機能のテストつまみ
３７　流量検知弁
３８　流量検知スイッチ
４０　第１タンクユニット
４１　第２タンクユニット
４７　ヒータ
４８　温度制御装置
５０　第１漏電遮断機能付電源装置
５１　第２漏電遮断機能付電源装置
５２　第１リセット板
５３　第２リセット板
５４　混合弁（操作部）
【図１】
2004011977.tif 000003
【図２】
2004011977.tif 000004
【図３】
2004011977.tif 000005
【図４】
2004011977.tif 000006
【図５】
2004011977.tif 000007
【図６】
2004011977.tif 000008
【図７】
2004011977.tif 000009